(57)【要約】【課題】組立作業性が良く、ローコスト化及び薄型化が図れると共に、あらゆる操作方向においても良好な操作感触が得られる多方向入力装置を提供する。【解決手段】絶縁基台３に円環状に配設された抵抗体７と、抵抗体７と所定の間隔を有して同一面上に並設された導電パターン９と、抵抗体７及び導電パターン９と離間した状態で対向して配置された導電部材１５と、傾倒可能に配設され、傾倒操作によって導電部材１５を抵抗体７と導電パターン９とに部分的に接触させて導通させる操作部材１２と、抵抗体７に所定の電圧を印加する電圧供給部７ａ、７ｂと、導電パターン９に接続された電圧出力部９ａとを備え、操作部材１２を傾倒操作した際に、電圧出力部９ａから出力される出力値によって、操作部材１２の傾倒操作位置を検出するようにした。【選択図】        図３
2005044557.tif 000002
【特許請求の範囲】
【請求項１】
絶縁基台と、前記絶縁基台に円環状に配設された抵抗体と、この抵抗体と所定の間隔を有して同一面上に並設された導電パターンと、前記抵抗体及び前記導電パターンと一定のギャップを有して離間した状態で対向して配置された導電部材と、前記絶縁基台上に全ての周方向へ傾倒可能に配設され、この傾倒操作によって前記導電部材を前記抵抗体と前記導電パターンとに部分的に接触させて導通させる操作部材と、前記抵抗体に所定の電圧を印加する電圧供給部と、前記導電パターンに接続された電圧出力部とを備え、前記操作部材を傾倒操作した際に、前記電圧出力部から出力される出力値によって、前記操作部材の傾倒操作位置を検出するようにしたことを特徴とする多方向入力装置。
【請求項２】
前記導電部材が、前記操作部材に一体に保持されていることを特徴とする請求項１記載の多方向入力装置。
【請求項３】
前記導電部材が、円環状の導電ゴムからなり、前記操作部材に固着されていることを特徴とする請求項２記載の多方向入力装置。
【請求項４】
前記導電パターンは、前記抵抗体に沿って連続する環状に形成され、前記電圧供給部は前記抵抗体の直交する半径方向の２方向位置にそれぞれ形成されていることを特徴とする請求項１記載の多方向入力装置。
【請求項５】
前記導電パターンは、前記抵抗体に沿って対向する２つの帯状に形成され、この帯状の対向するそれぞれの端部を幅方向に互い違いに突出させて長手方向に並列して形成し、前記電圧出力部をそれぞれの前記導電パターンに形成したことを特徴とする請求項１記載の多方向入力装置。
【請求項６】
前記絶縁基台の前記抵抗体及び前記導電パターンが配設された平面部の中央に押圧スイッチを配置すると共に、前記絶縁基台上に前記操作部材を傾倒及び押し下げ操作可能に配設し、前記操作部材の押し下げ操作によって前記押圧スイッチを押圧するようにしたことを特徴とする請求項１乃至５の何れかに記載の多方向入力装置。
【請求項７】
前記絶縁基台は印刷配線基板からなり、この印刷配線基板の平面部に前記押圧スイッチの固定接点を形成し、この固定接点との接続及び前記抵抗体の電圧供給部との接続を印刷配線基板に形成したスルーホールを介して行なうようにした請求項６記載の多方向入力装置。
【発明の詳細な説明】
【０００１】
【発明の属する技術分野】
本発明は、多方向入力装置に係り、携帯電話機やゲーム機などの各種電子機器の入力操作用に使用される多方向入力装置に関する。
【０００２】
【従来の技術】
従来の多方向入力装置としては、抵抗体と導電パターンとを上下に対向させ、抵抗体に電圧を印加した状態で、操作体で両者を部分的に接触させ、得られた出力値によって操作部材の接触位置を検出する構造のものが知られている（例えば、特許文献１参照）。
【０００３】
以下、従来の多方向入力装置の構造を図に基づいて説明する。図６は従来の多方向入力装置の要部断面図、図７は同じく多方向入力装置の構成を説明する概念図である。
【０００４】
図に示すように、従来の多方向入力装置は、電子機器の外装部材である上ケース１１１と下ケース１１２との間に、多層配線部を有する平板状の配線基板１３７が保持されており、この配線基板１３７には、円弧状の第１及び第２導電体層１２２、１２３が配設されている。この第１及び第２導電体層１２２、１２３は互いに絶縁された太幅の円弧状で、それぞれに導出部１２２ａ、１２３ａを有している。
【０００５】
また、配線基板１３７に対向して可撓性絶縁基板１３８が配設されており、この可撓性絶縁基板１３８の下面には、一対の導出部１１８ａ、１１８ｂを有する円形リング状の抵抗素子層１１８が印刷形成されている。
【０００６】
また、配線基板１３７の第１及び第２導電体層１２２、１２３の中央部、及びこれに対向する可撓性絶縁基板１３８下面の円形リング状の抵抗素子層１１８の中央部に、それぞれ電気的に独立して、固定接点１３９及び可動接点１４０が配設されている。この固定接点１３９は配線基板１３７上に印刷形成された中心接点１４４とリング状の外側接点１４５からなり、また、可動接点１４０は反転可能なドーム状の金属薄板で形成されている。
【０００７】
また、前記配線基板１３７の上部には、上ケース１１１に傾倒可能に取り付けられ、傾倒操作時に可撓性絶縁基板１３８の抵抗素子層１１８を配線基板１３７の第１又は第２導電対層１２２、１２３に押し付ける、リング状の突出部を下面側に有する操作つまみ１４２が配設されている。また、この操作つまみ１４２の中央には、操作つまみ１４２とは独立して上下動可能に保持された押釦１４３が保持されており、操作つまみ１４２と押釦１４３とで操作部材が構成されている。
【０００８】
上記の操作つまみ１４２の所望の方向の一点を傾倒動作させると、押された方向に傾倒し下面の突出部が可撓性絶縁基板１３８の上面を押して部分的に下方に撓ませ、その下面の抵抗素子層１１８を下方の第１又は第２導電体層１２２、１２３に接触導通させる。そして、抵抗素子層１１８の導出部１１８ａと接触した点の間の抵抗値による出力電圧が、第１又は第２導電層１２２、１２３の導出部１２２ａ又は１２３ａを経由してマイコン１４６に伝達される。
【０００９】
次に、この方向をマイコン１４６に記憶させた状態で操作つまみ１４２中央の押釦１４３を押圧することで可動接点１４０を介して固定接点１３９が短絡され、その信号がマイコン１４６に伝達されて記憶していた方向が決定と判断されるものとなっている。
【００１０】
【特許文献１】
特開２００２−１１７７５１号公報
【００１１】
【発明が解決しようとする課題】
しかしながら、上記した従来の多方向入力装置の構成においては、抵抗体と導電パターンとを上下方向に分けて設けていることから、電圧供給部と信号出力部とを２つの基板に別々に設ける必要があり、このために組立作業性が悪く、ローコスト化が困難なこと、及び薄型化が困難であるという問題があった。
また、抵抗体を可撓性絶縁基板（ＦＰＣ）に設けていることから、電圧供給部又は信号出力部を設けた方向への操作感触が一部異なるため、操作部材を全周方向へ良好な操作感触で入力操作することが困難であるという問題があった。
【００１２】
従って、本発明では上述した問題点を解決し、組立作業性が良く、ローコスト化及び薄型化が図れると共に、あらゆる操作方向においても良好な操作感触が得られる多方向入力装置を提供することを目的とする。
【００１３】
【課題を解決するための手段】
上記課題を解決するために本発明では第１の解決手段として、絶縁基台と、前記絶縁基台に円環状に配設された抵抗体と、この抵抗体と所定の間隔を有して同一面上に並設された導電パターンと、前記抵抗体及び前記導電パターンと一定のギャップを有して離間した状態で対向して配置された導電部材と、前記絶縁基台上に全ての周方向へ傾倒可能に配設され、この傾倒操作によって前記導電部材を前記抵抗体と前記導電パターンとに部分的に接触させて導通させる操作部材と、前記抵抗体に所定の電圧を印加する電圧供給部と、前記導電パターンに接続された電圧出力部とを備え、前記操作部材を傾倒操作した際に、前記電圧出力部から出力される出力値によって、前記操作部材の傾倒操作位置を検出するようにした構成とした。
【００１４】
また、第２の解決手段として、前記導電部材が、前記操作部材に一体に保持されている構成とした。
また、第３の解決手段として、前記導電部材が、円環状の導電ゴムからなり、前記操作部材に固着されている構成とした。
【００１５】
また、第４の解決手段として、前記導電パターンは、前記抵抗体に沿って連続する環状に形成され、前記電圧供給部は前記抵抗体の直交する半径方向の２方向位置にそれぞれ形成されている構成とした。
また、第５の解決手段として、前記導電パターンは、前記抵抗体に沿って対向する２つの帯状に形成され、この帯状の対向するそれぞれの端部を幅方向に互い違いに突出させて長手方向に並列して形成し、前記電圧出力部をそれぞれの前記導電パターンに形成した構成とした。
【００１６】
また、第６の解決手段として、前記絶縁基台の前記抵抗体及び前記導電パターンが配設された平面部の中央に押圧スイッチを配置すると共に、前記絶縁基台上に前記操作部材を傾倒及び押し下げ操作可能に配設し、前記操作部材の押し下げ操作によって前記押圧スイッチを押圧するようにした構成とした。
また、第７の解決手段として、前記絶縁基台は印刷配線基板からなり、この印刷配線基板の平面部に前記押圧スイッチの固定接点を形成し、この固定接点との接続及び前記抵抗体の電圧供給部との接続を印刷配線基板に形成したスルーホールを介して行なうようにした構成とした。
【００１７】
【発明の実施の形態】
以下、本発明の実施形態を図１乃至図５に示す。図１は本発明の多方向入力装置の平面図、図２は多方向入力装置の側面図、図３は多方向入力装置の断面図、図４は絶縁基台の平面図、図５は変形例に係る絶縁基台の平面図である。
【００１８】
図１乃至図４において、ハウジング１は、金属板あるいは合成樹脂などの絶縁材で上面に開口部を有する円形の箱型に形成されている。また、このハウジング１の側面部の一端側からは、後述する絶縁基台３の入出力部３ｂが突出されている。また、ハウジング１の開口部内には、合成樹脂などの絶縁材で円環状に形成された中間支持部材２がハウジング１の内側面に沿って配設されている。この中間支持部材２の底面とハウジング１の内底面との間に、絶縁基台３が挟持されて取り付けられている。
【００１９】
絶縁基台３は、フェノール樹脂積層板あるいはフレキシブル基板（ＦＰＣ）等から形成されており、略円形状の回路基板部３ａと、図示しない外部の電子機器の制御回路部と電気的に接続される略方形状の入出力部３ｂとを有している。また、入出力部３ｂには電子機器との接続の時に使用される一対の取付孔３ｃが設けられている。
【００２０】
前記回路基板部３ａには、中央に銀などの導電性の材料からなる押圧スイッチ用の固定接点４が形成されており、この固定接点４は円形の中央接点４ａとこの中央接点４ａの回りを囲むように対向して配置された周辺接点４ｂとを有している。また、両接点４ａ、４ｂは回路基板部３ａの裏側まで貫通するスルーホール８と接続されており、このスルーホール８を介して回路基板部３ａの裏側の図示しない回路パターンと電気的に接続されている。
【００２１】
また、前記固定接点４上には、導電性の金属板からなるドーム状の可動接点５が載置されており、この可動接点５の外周縁部が固定接点４の周辺接点４ｂ上に接続され、ドーム状の頂点部が中央接点４ａと対向した状態で配置されている。また、可動接点５の上面側には絶縁シート材からなる保護シート６が貼着されており、この保護シート６により可動接点５が絶縁基台３の上面に押圧操作可能な状態で貼着されて取り付けられている。
【００２２】
また、回路基板部３ａには、前記固定接点４の外側に円環状に設けられた抵抗体７が形成されている。この抵抗体７はカーボンなどの導電性抵抗層を印刷することにより形成されており、この抵抗体７には、抵抗体７の直交する半径方向の２方向位置に、信号電圧を入力するための電圧供給部７ａ、７ｂがそれぞれ形成されている。また、この電圧供給部７ａ、７ｂは回路基板部３ａの裏側まで貫通するスルーホール８と接続されており、このスルーホール８を介して回路基板部３ａの裏側の図示しない回路パターンと電気的に接続されている。
【００２３】
また、回路基板部３ａには、前記抵抗体７の外側に所定の間隔を有して同一面上に並設された導電パターン９が形成されている。この導電パターン９は銀などの導電性の材料からなり、抵抗体７に沿って連続する環状に形成されている。更に詳しく述べると、抵抗体７と同心で径の異なる円環状に形成されている。また、導電パターン９の一端部には電圧出力部９ａが設けられており、この電圧出力部９ａから前記入出力部３ｂへ導出パターン９ｂが延設されている。
【００２４】
前記入出力部３ｂの一端側には、銀などの導電材料からなる複数の外部接続端子１０が形成されている。この外部接続端子１０には導出パターン１０ａが延設されており、この導出パターン１０ａの一端側が入出力部３ｂの裏側まで貫通する複数のスルーホール１１と接続されている。この複数のスルーホール１１と前記回路基板部３ａに設けられた複数のスルーホール８とが、回路基板部３ａの裏側で電気的に接続されている。また、前記導電パターン９の導出パターン９ｂと外部接続端子１０の一つとが回路基板部３ａの上面側で接続されている。
【００２５】
このように、絶縁基台３をフェノール樹脂積層板あるいはフレキシブル基板で形成して回路基板部３ａに押圧スイッチの固定接点４を設け、この固定接点４との接続及び抵抗体７の電圧供給部７ａ、７ｂとの接続を、回路基板部３ａに形成したスルーホール８を介して行なうようにしたことから、導電パターン９及び固定接点４との接続を、抵抗体７と干渉することなく行なえるので、全周方向での検出が可能となっている。また、平板状の基板の使用により薄型化が図れるものとなる。
【００２６】
前記中間支持部材２の上面には、円環状の突壁２ａと円環状の段部２ｂが形成されている。この突壁２ａと段部２ｂに後述する操作つまみ１３の揺動アーム部１３ｃが係合されている。
また、前記ハウジング１に収納された前記絶縁基台３の回路基板部３ａの上面側には合成樹脂などの絶縁材からなる操作部材１２が配設されている。
【００２７】
操作部材１２は、傾倒操作用の操作つまみ１３と、押圧操作用の押釦１４とから構成されている。操作つまみ１３は、円盤状の基部１３ａと、この基部１３ａの上面側に突出して設けられた円形状の操作部１３ｂと、基部１３ａと操作部１３ｂの間から鍔状に延出された揺動アーム部１３ｃとを有している。
また、基部１３ａの下面側には、前記回路基板部３ａの抵抗体７及び導電パターン９と一定のギャップを有して離間した状態で対向して配置された導電部材１５が形成されている。この導電部材１５は、円環状の導電ゴムから形成されており、抵抗体７及び導電パターン９を接続できる幅に設定され、基部１３ａの下面に一体的に固着されている。
【００２８】
導電部材１５を、操作つまみ１３に一体に保持することで、操作つまみ１３と導電部材１５を一体に取り扱え、組立が容易となり、また、導電部材１５を、円環状の導電ゴムで形成して、操作つまみ１３に固着することにより、操作つまみ１３の全周方向への導電部材１５の取り付けを簡単に行なえる。
【００２９】
押釦１４は、釦部１４ａと、この釦部１４ａの下側に取り付けられた押圧部１４ｂとを有しており、押圧部１４ｂには可動接点５のドーム状の頂点部と当接して下方へ押圧する突起部１４ｃが設けられている。また、押釦１４は前記操作つまみ１３の中央に設けられた挿通孔１３ｄに挿通されて上下に昇降移動可能に係合されている。この場合、押釦１４ａは可動接点５の弾発力によって上方に付勢されており、この付勢力によって初期位置に保持されると共に、押圧時に初期位置に復帰されるものとなっている。
【００３０】
前記ハウジング１の上面には円環状の金属板からなるカバー部材１６が嵌着されている。前記操作部材１２は、前記ハウジング１の開口内に収納され、ハウジング１の上面に前記カバー部材１６が嵌着されることで傾倒操作及び押圧操作が可能なように取り付けられるものとなる。
【００３１】
この時、前記操作つまみ１３の揺動アーム部１３ｃが、ハウジング１に配設された中間支持部材２の突壁２ａ及び段部２ｂと、カバー部材１６の下面との間に挟持されることで、操作つまみ１３がハウジング１に傾倒操作可能に取り付けられるものとなる。この場合、前記揺動アーム部１３ｃは可撓性を有する合成樹脂材で弾性変形可能なように形成されており、この揺動アーム部１３ｃの弾性力によって操作つまみ１３は中間の中立位置に保持されると共に、左右上下などの周方向へ傾倒操作した後には、中立位置へ復帰するものとなる。
【００３２】
次に、上記構成の多方向操作装置の動作について説明する。
抵抗体７には電圧供給部７ａ、７ｂに、外部接続端子１０からの入力信号（電圧）がスルーホール１１、８を介して印加されている。この場合、それぞれの電圧供給部７ａと７ｂは、抵抗体７の直交する半径方向の２方向位置にそれぞれ形成されていることから、抵抗体７への電圧印加をＸ方向と、Ｙ方向とで切り換えて順次信号を読み出すことで全周方向の検出が可能となっている。
【００３３】
まず、操作部材１２の操作つまみ１３が、ある一方の方向へ傾倒操作されると、傾倒された方向の基台１３ａに固着された導電部材１５が下方へ移動し、対応する位置に配設された抵抗体７と導電パターン９の一部と接触する。この時、抵抗体７のそれぞれの電圧供給部７ａ及び７ｂと接触した点との間の抵抗値による出力電圧が、導電パターン９の電圧出力部９ａから導出パターン９ｂを経由して図示しない外部の制御回路部に伝達されて記憶されるものとなる。この状態から、操作つまみ１３への操作力を解除させると、操作つまみ１３は揺動アーム１３ｃの弾性力により中立位置に復帰する。
【００３４】
次に、この方向を制御回路部に記憶させた状態で、操作つまみ１３の中央の押釦１４を押圧すると、押釦１４が下方に移動し、押圧部１４ｂ下面の突起部１４ｃが下方の可動接点５を押圧してドーム状部が反転し、固定接点４が短絡されるものとなる。この時、その信号が制御回路部に伝達されて記憶していた方向が決定と判断されるものとなる。そして、押釦１４への押圧力を解除すれば、押釦１４は可動接点５のドーム状部の弾性力により初期位置に復帰する。
【００３５】
上記した本発明の実施例によれば、平面状の絶縁基台３に円環状に配設された抵抗体７と、この抵抗体７と所定の間隔を有して同一面上に導電パターン９を設け、抵抗体７及び導電パターン９と一定のギャップを有して離間した状態で導電部材１５を対向して配置し、この絶縁基台３上に全ての周方向へ傾倒可能とし、この傾倒操作によって導電部材１５を抵抗体７と導電パターン９とに部分的に接触させて導通させる操作部材１２を設け、抵抗体７に所定の電圧を印加すると共に、操作部材１２を傾倒操作した際に、導電パターン９の電圧出力部９ａから出力される出力値によって、操作部材１２の傾倒操作位置を検出するようにしたことから、抵抗体７と導電パターン９を共通の絶縁基台３に設け、入出力部を持たない導電部材１０を操作部材１２側に配置する構成としたので、組立作業性が良く、ローコスト化及び薄型化が図れると共に、全周方向への安定した入力操作を行なうことができるものとなっている。
尚、上記実施例では、導電パターン９を抵抗体７と同心で径の異なる円環状に形成したもので説明したが、導電パターン９は必ずしも円環でなくても良く、導電部材１５と全周方向へ接触可能に抵抗体７に沿って連続していれば多少の凹凸部分が外形にあっても良い。また、導電パターン９と抵抗体７の位置を入れ換えて、導電パターン９を抵抗体の内側に配置しても良い。
【００３６】
図５は、絶縁基台３の他の実施例に係る構成を示している。この場合、上記実施例とは抵抗体７の一部と導電パターン９の構成が相違している。
すなわち、本実施例においては、抵抗体７には半径方向の一方向のみ電圧供給部７ｃが形成されており、また、導電パターンは、抵抗体７に沿って対向する２つの帯状に形成され、更に詳しく述べると、抵抗体７と同心で径の異なる円上に対向する２つの半円帯状に形成された第１及び第２の導電パターン１７、１８から形成されている。
【００３７】
また、半円帯状の対向するそれぞれの端部を幅方向に互い違いに突出させて突出部１７ｃ、１８ｃを設け、この突出部１７ｃ、１８ｃを長手方向に互いに並列して形成している。また、電圧出力部１７ａ、１８ａがそれぞれの導電パターンに形成されている。また一方の電圧出力部１７ａは外部接続端子１０と導出パターン１７ｂで回路基板部の上面側で接続されており、他方の電圧出力部１８ａはスルーホール１１と回路基板部３ａの裏側で図示しない回路パターンを介して電気的に接続されている。
【００３８】
このように、導電パターン１７、１８を、抵抗体７に沿って対向する２つの帯状に形成し、帯状の対向するそれぞれの端部を幅方向に互い違いに突出させて長手方向に並列して形成することにより、電圧出力部１７ａ、１８ａをそれぞれの導電パターン１７、１８に形成できるため、抵抗体７に所定の電圧を印加する電圧供給部７ｃが一方向のみでよいので、構成が簡易となり、安価対応が可能となる。
【００３９】
また、２つの半円帯状の導電パターン１７、１８の分割された端部においても、幅方向に互い違いに突出させた突出部１７ｃ、１８ｃが長手方向に並列して設けられているので、この突出部１７ｃ、１８ｃでの導電部材１５との接触が可能となり、この領域においても検出が可能で、全周方向での連続した検出が可能となり、どちら側の導電パターンの出力かを判断することで全周方向での検出が可能となっている。
尚、導電パターン９と抵抗体７の位置を入れ換えて、導電パターン９を抵抗体７の内側に配置しても良い。
【００４０】
【発明の効果】
以上説明したように、本発明の多方向入力装置は、絶縁基台と、絶縁基台に円環状に配設された抵抗体と、抵抗体と所定の間隔を有して同一面上に並設された導電パターンと、抵抗体及び導電パターンと一定のギャップを有して離間した状態で対向して配置された導電部材と、絶縁基台上に全ての周方向へ傾倒可能に配設され、傾倒操作によって導電部材を抵抗体と導電パターンとに部分的に接触させて導通させる操作部材と、抵抗体に所定の電圧を印加する電圧供給部と、導電パターンに接続された電圧出力部とを備え、操作部材を傾倒操作した際に、電圧出力部から出力される出力値によって、操作部材の傾倒操作位置を検出するようにしたことから、抵抗体と導電パターンを共通の絶縁基台に設け、入出力部を持たない導電部材を操作部材側に配置する構成としたので、組立作業性が良く、ローコスト化及び薄型化が図れると共に、全周方向への安定した入力操作を行なうことができる。
【００４１】
また、導電部材が、操作部材に一体に保持されていることから、操作部材と導電部材を一体に取り扱え、組立が容易となる。
また、導電部材が、円環状の導電ゴムからなり、操作部材に固着されていることから、操作部材の全周方向への導電部材の取り付けを簡単に行なえる。
【００４２】
また、導電パターンは、抵抗体に沿って連続する環状に形成され、電圧供給部は抵抗体の直交する半径方向の２方向位置にそれぞれ形成されていることから、抵抗体への電圧印加をＸ方向と、Ｙ方向とで切り換えて順次信号を読み出すことで全周方向の検出が可能となる。
また、導電パターンは、抵抗体に沿って対向する２つの帯状に形成され、帯状の対向するそれぞれの端部を幅方向に互い違いに突出させて長手方向に並列して形成し、電圧出力部をそれぞれの導電パターンに形成したことから、２つの半円帯状の導電パターンの端部においても検出が可能となり、どちら側の出力かを判断することで全周方向での検出が可能となる。
【００４３】
また、絶縁基台の抵抗体及び導電パターンが配設された平面部の中央に押圧スイッチを配置すると共に、絶縁基台上に操作部材を傾倒及び押し下げ操作可能に配設し、操作部材の押し下げ操作によって押圧スイッチを押圧するようにしたことから、傾倒方向の入力と押圧スイッチの入力をそれぞれ個別に行なうことができる。
また、絶縁基台は印刷配線基板からなり、印刷配線基板の平面部に押圧スイッチの固定接点を形成し、固定接点との接続及び抵抗体の電圧供給部との接続を印刷配線基板に形成したスルーホールを介して行なうようにしたことから、導電パターン及び固定接点との接続を、抵抗体と干渉することなく行なえるので、全周方向での検出が可能で、印刷配線基板の使用により薄型化が図れる。
【図面の簡単な説明】
【図１】本発明の位置実施例である多方向入力装置を示す平面図である。
【図２】本発明の多方向入力装置を示す側面図である。
【図３】本発明の多方向入力装置を示す断面図である。
【図４】本発明の絶縁基台を示す平面図である。
【図５】本発明の絶縁基台の変形例を示す平面図である。
【図６】従来の多方向入力装置を示す要部断面図である。
【図７】従来の多方向入力装置の構成を説明する概念図である。
【符号の説明】
１  ハウジング
２  中間支持部材
２ａ  突壁
２ｂ  段部
３  絶縁基台
３ａ  回路基板部
３ｂ  入出力部
３ｃ  取付孔
４  固定接点
４ａ  中央接点
４ｂ  周辺接点
５  可動接点
６  保護シート
７  抵抗体
７ａ，７ｂ，７ｃ  電圧供給部
８  スルーホール
９  導電パターン
９ａ  電圧出力部
９ｂ  導出パターン
１０  外部接続端子
１０ａ  導出パターン
１１  スルーホール
１２  操作部材
１３  操作つまみ
１３ａ  基部
１３ｂ  操作部
１３ｃ  揺動アーム部
１３ｄ  挿通孔
１４  押釦
１４ａ  釦部
１４ｂ  押圧部
１４ｃ  突起部
１５  導電部材
１６  カバー部材
１７，１８  導電パターン
１７ａ，１８ａ  電圧出力部
１７ｂ  導出パターン
１７ｃ，１８ｃ  突出部
【図１】
2005044557.tif 000003
【図２】
2005044557.tif 000004
【図３】
2005044557.tif 000005
【図４】
2005044557.tif 000006
【図５】
2005044557.tif 000007
【図６】
2005044557.tif 000008
【図７】
2005044557.tif 000009